(57)【要約】【課題】外側継手と内側継手との輸送中の破損や施工中の所定位置のずれを防止し、係止片等の除去を必要とせず、部品点数を減らして生産コストを抑えることが可能な伸縮継手を提供する。【解決手段】互いに長手方向に摺動可能に嵌合された外側継手２と内側継手３とを備え、各々に軒樋接続部４を有する伸縮継手１であって、外側継手と内側継手には、各々の相対位置を決定するとともに、摺動を規制するための位置決め部５が設けられ、位置決め部は、外側継手の上端縁部に設けられて、内側継手の上端縁部を覆うように内側に突出している突出片２１と、内側継手の上端縁部に設けられて、外側継手の突出片の長手方向の両側を挟む位置に突出している係止突起３１とを有し、係止突起の突出高さは、接続した軒樋の伸縮に伴う前記外側継手と前記内側継手の摺動により、前記突出片が前記係止突起を乗り越える高さに形成されている。【選択図】図１
2018104901.tif 000002
【特許請求の範囲】
【請求項１】
互いに長手方向に摺動可能に嵌合された外側継手と内側継手とを備え、各々に軒樋接続部を有する伸縮継手であって、
前記外側継手と前記内側継手には、各々の相対位置を決定するとともに、摺動を規制するための位置決め部が設けられ、
前記位置決め部は、前記外側継手の上端縁部に設けられて、前記内側継手の上端縁部を覆うように内側に突出している突出片と、
前記内側継手の上端縁部に設けられて、前記外側継手の前記突出片の長手方向の両側を挟む位置に突出している係止突起とを有し、
前記係止突起の突出高さは、接続した軒樋の伸縮に伴う前記外側継手と前記内側継手の摺動により、前記突出片が前記係止突起を乗り越える高さに形成されていることを特徴とする伸縮継手。
【請求項２】
前記係止突起は、前記突出片を左右から挟んだ状態において、前記突出片から離れるにつれて、前記突出高さが減少する正面視三角形の形状に形成されていることを特徴とする請求項１に記載の伸縮継手。
【発明の詳細な説明】
【技術分野】
【０００１】
本発明は、伸縮継手に関する。
【背景技術】
【０００２】
近年、建物の軒先に取り付ける軒樋には合成樹脂製のものが多く用いられている。この合成樹脂製の軒樋は熱膨張係数が大きいため、気温の変化等に伴う軒樋の長手方向の伸縮により、軒樋自身が変形したり破損するといった問題があった。
【０００３】
そこで、気温の変化等に伴う軒樋の伸縮を逃がすために、軒樋の中間部に接続する伸縮可能な伸縮継手が提案されている。
【０００４】
この伸縮継手は、外側継手と内側継手が互いに摺動可能に接合されており、内側継手と外側継手が摺動することによって伸縮継手自体が軒樋の伸縮量を吸収して調整するようになっている。しかしながら、このような伸縮継手は、輸送中の衝撃により外側継手と内側継手が動いてしまい破損する虞があった。
【０００５】
また、伸縮継手には、外側継手と内側継手の相対位置を所定の位置に設定する基準となるものがないため、施工時において外側継手と内側継手の相対位置を一定にするのが困難であった。そして、例えば、軒樋が収縮し易い冬季において伸縮継手が収縮した状態や、軒樋が伸長し易い夏季において伸縮継手が伸長した状態で軒樋と接続されていた場合には、軒樋の伸縮を吸収できず、伸縮継手としての機能を十分に発揮できないという問題があった。
【０００６】
これに対して、これまでに、内側継手と外側継手との係合により、内側継手と外側継手の相対位置を所定の位置で固定することができる伸縮継手が提案されている（例えば特許文献１を参照）。この提案によれば、内側継手と外側継手に設けた係合突片に、クリップ状の位置決め具を嵌合して内側継手と外側継手を固定した状態とし、位置決め具を除去することにより内側継手と外側継手の固定を解除するようにしている。
【０００７】
そして、これにより、内側継手と外側継手の相対位置を規制した状態で軒樋の接続を可能とし、施工後に位置決め具を取り外して係合を解除することにより、軒樋の伸縮に伴う内側継手と外側継手の摺動が可能な状態にすることができるとしている。
【先行技術文献】
【特許文献】
【０００８】
【特許文献１】特開２０１１−５２３８４号公報
【発明の概要】
【発明が解決しようとする課題】
【０００９】
しかしながら、特許文献１の伸縮継手は、軒樋の設置施工後に外側継手と内側継手の摺動の規制のための位置決め具を除去する必要があるため、施工後に位置決め具を外し忘れる等のリスクがあった。また、予め形状が複雑な係合突片と位置決め具を設ける必要があるため部品点数が多くなり、製造コストが高くなったり、組立の作業工数が多くなるという問題があった。
【００１０】
本発明は、上記従来の問題点に鑑みてなされたものであり、外側継手と内側継手との輸送中の破損や施工中の所定位置のずれを防止し、位置決め具等の除去を必要とせず、部品点数を減らして製造コストを抑えることが可能な伸縮継手を提供することを課題とする。
【課題を解決するための手段】
【００１１】
本発明は、上記の課題を解決するために、以下のことを特徴としている。
【００１２】
すなわち、本発明の伸縮継手は、互いに長手方向に摺動可能に嵌合された外側継手と内側継手とを備え、各々に軒樋接続部を有する伸縮継手であって、前記外側継手と前記内側継手には、各々の相対位置を決定するとともに、摺動を規制するための位置決め部が設けられ、前記位置決め部は、前記外側継手の上端縁部に設けられて、前記内側継手の上端縁部を覆うように内側に突出している突出片と、前記内側継手の上端縁部に設けられて、前記外側継手の前記突出片の長手方向の両側を挟む位置に突出している係止突起とを有し、前記係止突起の突出高さは、接続した軒樋の伸縮に伴う前記外側継手と前記内側継手の摺動により、前記突出片が前記係止突起を乗り越える高さに形成されていることを特徴とする。
【発明の効果】
【００１３】
本発明によれば、外側継手と内側継手との輸送中の破損や施工中の所定位置のずれを防止し、位置決め具等の除去を必要とせず、部品点数を減らして生産コストを抑えることが可能な伸縮継手を提供することが可能となる。
【図面の簡単な説明】
【００１４】
【図１】本発明の伸縮継手の一実施形態を示す概略斜視図である。
【図２】内側継手の一実施形態を示す概略斜視図である。
【図３】係止突起が突出片を左右から挟んだ状態を示す部分拡大図である。
【図４】伸縮継手の両端に軒樋を接続した状態を示す概略断面図である。
【発明を実施するための形態】
【００１５】
本発明の伸縮継手について図面に基づいて以下に詳述する。図１は、本発明の伸縮継手の一実施形態を示す概略斜視図であり、図２は、内側継手の一実施形態を示す概略斜視図である。また、図３は、係止突起が突出片を左右から挟んだ状態を示す部分拡大図であり、図４は、伸縮継手の両端に軒樋を接続した状態を示す概略断面図である。
【００１６】
本実施形態の伸縮継手１は、互いに長手方向に摺動可能に嵌合された外側継手２と内側継手３とを備え、各々に軒樋接続部４を有している。また、外側継手２と内側継手３には、各々の相対位置を決定するとともに、摺動を規制するための位置決め部５が設けられている。
【００１７】
そして、位置決め部５は、外側継手２の上端縁部に設けられて、内側継手３の上端縁部を覆うように内側に突出している突出片２１を有している。また、内側継手３の上端縁部に設けられて、外側継手２の突出片２１の長手方向の両側を挟む位置に突出している係止突起３１とを有している。
【００１８】
係止突起３１の突出高さは、接続した軒樋６の伸縮に伴う外側継手２と内側継手３の摺動により、突出片２１が係止突起３１を乗り越える高さに形成されている。
【００１９】
本実施形態の伸縮継手１では、外側継手２の内側に内側継手３が嵌合されており、長手方向に摺動可能に嵌合されている。そして、外側継手２と内側継手３の端部には、軒樋６を接合するための軒樋接続部４が形成されている。軒樋接続部４は、外側継手２と内側継手３の上端縁部の端部に軒樋６の耳部と嵌合可能な軒樋固定爪４１が形成されている。また、軒樋接続部４の内面には軒樋受け部４２が形成されており、軒樋受け部４２により軒樋接続部４に接続した軒樋６の端部を受けて位置決めできるようになっている。
【００２０】
即ち、軒樋固定爪４１に軒樋６の耳部を嵌合させ、軒樋受け部４２で軒樋６の端部を受けることにより、軒樋６と伸縮継手１の接続が可能となっている。これにより、長尺の軒樋６の中間部に伸縮継手１を配設することができる。
【００２１】
また、外側継手２と内側継手３の上端縁部には、外側継手２と内側継手３の所定の相対位置で摺動を規制し、所定の位置に位置決めするための位置決め部５が設けられている。位置決め部５は、外側継手２の上端縁部の中央部付近に設けられた突出片２１と、内側継手３の上端縁部に突出して設けられた係止突起３１により構成されている。外側継手２の上端縁部に設けられた突出片２１は、内側継手３の上端縁部を上方から覆うように内側に向けてほぼ水平に突出しており、内側継手３が上方に外れないようにするためのストッパーの役目も果たしている。
【００２２】
突出片２１の内側への突出寸法は特に限定されるものではないが、内側継手３の外れ防止等を考慮した場合、内側継手３の上端縁部の厚み以上とするのが望ましい。また、さらに突出片２１の先端部を底部方向に向けて突出させて、内側継手３の上端縁部を握持するように形成することもできる。これにより、内側継手３の外側継手２からの外れを確実に防止することができる。
【００２３】
突出片２１の長手方向の長さは特に限定されるものではなく、外側継手２の長手方向の寸法や係止突起３１の間隔等を考慮して適宜決定することができるが、通常１０〜４０ｍｍ程度、好ましくは３５ｍｍ程度の長さが考慮される。
【００２４】
内側継手３の上端縁部に設けられた係止突起３１は、外側継手２と内側継手３とが所定の相対位置の状態において、外側継手２に設けられた突出片２１を左右両側から挟む位置に、上方に向けて突出して形成されている。ここで、外側継手２と内側継手３との所定の相対位置とは、軒樋６の伸縮に伴う外側継手２と内側継手３の摺動量が十分に確保された位置を意味する。
【００２５】
係止突起３１の突出高さは、接続した軒樋６の伸縮に伴う外側継手２と内側継手３の摺動する力により、突出片２１が係止突起３１を乗り越える高さに形成されており、具体的には、例えば０．５〜１．０ｍｍ程度、好ましくは０．６〜０．９ｍｍ程度が考慮される。
【００２６】
係止突起３１の突出高さを上記の条件とすることにより、外側継手２と内側継手３との摺動が規制され、外側継手２と内側継手３が固定された状態となるため、伸縮継手１の輸送時には外側継手２と内側継手３との衝突による破損を防止することができる。また、伸縮継手１の取り付け施工時には、外側継手２と内側継手３との相対的な位置が予め規定されて固定されているため、位置調整を行う必要がない。
【００２７】
また、伸縮継手１の取り付け施工後には、接続した軒樋６の伸縮に伴って伸縮継手１の外側継手２と内側継手３を摺動可能とすることができる。具体的には、例えば、夏季の高温時に軒樋６の長手方向の膨張により伸長した場合には、突出片２１が係止突起３１を乗り越えて外側継手２と内側継手３が縮む方向に摺動する。また、冬季の低温時に軒樋６の長手方向に収縮した場合には、突出片２１が係止突起３１を乗り越えて外側継手２と内側継手３が伸びる方向に摺動する。
【００２８】
さらに、本実施形態の伸縮継手１の位置決め部５は、外側継手２に設けられた突出片２１と内側継手３に設けられた係止突起３１のみで構成されており、部品点数が少ないため、製造コストを抑えることが可能となる。
【００２９】
本実施形態の伸縮継手１では、係止突起３１は、突出片２１を左右から挟んだ状態において、突出片２１から離れるにつれて、突出高さが減少する正面視三角形の形状に形成されていることが好ましい。具体的には、例えば図３に示すように、係止突起３１を直角三角形の形状として、直角三角形の対辺αで突出片２１の側面を挟むように係止突起３１を形成することができる。ここで対辺αの高さは、上記で説明したように、接続した軒樋６の伸縮に伴う外側継手２と内側継手３の摺動により突出片２１が係止突起３１を乗り越える高さに設定することが考慮される。また、直角三角形の隣辺βの寸法は特に限定されるものではなく、内側継手３の長手方向の寸法や、斜辺γの傾斜の程度を考慮して適宜決定することができる。
【００３０】
このように、係止突起３１を三角形の形状とすることにより、接続した軒樋６の伸縮に伴って係止突起３１を乗り越えた突出片２１が更に移動する際や、季節が変わって係止突起３１が突出片２１で左右から挟まれた状態に戻る際にも、移動の抵抗を軽減させることができ、伸縮継手１としての機能を十分に発現させることができる。
【００３１】
以下に、本実施形態の伸縮継手１に軒樋６を接続する施工方法について説明する。まず、図１に示すように、伸縮継手１の内側継手３の上端縁部の係止突起３１の間に外側継手２の突出片２１が挟まれた状態であることを確認する。
【００３２】
次に、その状態で図４に示すように、内側継手３及び外側継手２の端部に設けられた軒樋接続部４に、軒樋６の端部を差し込んで固定する。軒樋接続部４による軒樋６の固定は、必要に応じて軒樋接続部４に接着剤を塗布した後、内側継手３及び外側継手２の上端縁部の端部に設けられている軒樋固定爪４１に軒樋６の端部の耳部を嵌合させた状態で、軒樋６の端部が軒樋受け部４２に当接するまで押し込む。これにより、長尺の軒樋６の中間部に伸縮継手１を固定して配設することができる。
【００３３】
そして、伸縮継手１を介して接続した軒樋６を軒樋吊具等により建物の軒先の所定の位置に固定することにより軒樋６の取り付け施工をすることができる。
【００３４】
本実施形態の伸縮継手１によれば、上記のように位置決め部５の固定解除の必要がないため、伸縮継手１の取り付け施工を簡便に行うことができる。
【００３５】
以上、実施形態に基づき本発明の伸縮継手１を説明したが、本発明は上記の実施形態に何ら限定されるものではなく、その要旨を逸脱しない範囲内において各種の変更が可能である。
【００３６】
例えば、上記実施形態では、突出片２１を左右両側から挟む係止突起３１の突出高さを左右同じ高さとしたが、左右の係止突起３１の突出高さを異なる高さとすることもできる。左右の係止突起３１の突出高さを異なる高さとすることにより、軒樋６の伸縮に伴って突出片２１が係止突起３１を乗り越える抵抗力を伸長時と収縮時で調整することが可能となる。
【符号の説明】
【００３７】
１  伸縮継手
２  外側継手
２１  突出片
３  内側継手
３１  係止突起
４  軒樋接続部
４１  軒樋固定爪
４２  軒樋受け部
５  位置決め部
６  軒樋
【図１】
2018104901.tif 000003
【図２】
2018104901.tif 000004
【図３】
2018104901.tif 000005
【図４】
2018104901.tif 000006